(57)【要約】本発明は、プラグに用いられる絶縁装置に関し、特にプラグ用絶縁カバーに関し、コネクタ技術分野に属する。シート状のカバー本体、栓刃カバー及び栓刃挿入孔を備え、前記栓刃カバーは、前記カバー本体から突出し、前記栓刃挿入孔は、前記栓刃カバーと前記カバー本体とを貫通する貫通孔であり、プラグの栓刃を被覆するために用いられる。上述した構造を有する絶縁カバーは、カバー本体をプラグの絶縁部分に密着させ、絶縁カバーの栓刃を保護し、栓刃の間の漏水による短絡又は漏電を防ぐことができるほか、指が栓刃に接触することによる感電現象を防止すると共に、プラグの正常な挿抜に影響を与えない。プラグの挿抜の過程において、人体が栓刃に触ることによる感電現象を効果的に防止すると共に、通常プラグのピンが濡れることで、挿抜する際に発生する火花による危害を減少させることができる。当該絶縁カバーは、良好な靱性を有し、裂けにくく、ピンの寿命を延ばすだけでなく、安全性をさらに改善することができる。
2019503578.tif 000002
【特許請求の範囲】
【請求項１】
シート状のカバー本体と、前記カバー本体から突出している栓刃カバーと、前記栓刃カバーと前記カバー本体とを貫通する貫通孔であり、プラグの栓刃を被覆するための栓刃挿入孔とを備えていることを特徴とするプラグ用絶縁カバー。
【請求項２】
前記栓刃カバーは、前記カバー本体の正面端面から突出し、前記栓刃挿入孔は、前記栓刃カバー内に設けられ、且つ前記カバー本体の背面端面と前記栓刃カバーの自由端とを貫通し、前記正面端面及び前記背面端面は、前記カバー本体の対向する２つの面であることを特徴とする請求項１に記載のプラグ用絶縁カバー。
【請求項３】
前記カバー本体の正面端面から突出した前記栓刃カバーの突起高さは、１ｍｍ以上であり、前記カバー本体の厚さ又は／及び前記栓刃カバーの厚さは、０．０５ｍｍ以上であることを特徴とする請求項２記載のプラグ用絶縁カバー。
【請求項４】
前記カバー本体の正面端面から突出した前記栓刃カバーの突起高さは、前記栓刃の長さの１０％以上であり、前記カバー本体の厚さ又は／及び前記栓刃カバーの厚さは、前記栓刃の厚さの５％以上であることを特徴とする請求項２記載のプラグ用絶縁カバー。
【請求項５】
前記カバー本体は、少なくとも１つの栓刃カバーを含み、前記カバー本体における栓刃カバーの数量は、当該絶縁カバーに対応するプラグの栓刃の数量以下であることを特徴とする請求項１〜４のいずれか１項に記載のプラグ用絶縁カバー。
【請求項６】
前記栓刃カバーにおける栓刃挿入孔の形状は、プラグの栓刃の形状に対応することを特徴とする請求項５のいずれか１項に記載のプラグ用絶縁カバー。
【請求項７】
前記プラグの栓刃は、扁平形栓刃、円形栓刃、角柱形栓刃を含むことを特徴とする請求項６のいずれか１項に記載のプラグ用絶縁カバー。
【請求項８】
前記カバー本体の両面は、それぞれ正面側面及び背面側面であり、前記栓刃カバーは、前記カバー本体の正面側面に設けられ、前記カバー本体の背面側面の縁部には、前記カバー本体の背面側面から突出した保護縁部が設けられていることを特徴とする請求項１に記載のプラグ用絶縁カバー。
【請求項９】
前記カバー本体の背面側面に設けられた保護縁部は、リング状、歯状又は爪状であり、前記プラグの絶縁部を緊密に被覆するために用いられることを特徴とする請求項８に記載のプラグ用絶縁カバー。
【請求項１０】
前記カバーの背面側面から突出した前記保護縁部の突起高さは、１ｍｍ以上であり、前記保護縁部の厚さは、０．０５ｍｍ以上であり、前記保護縁部の内側壁には、突出リブが設けられていることを特徴とする請求項８または９に記載のプラグ用絶縁カバー。
【請求項１１】
前記カバー本体の背面端面は、プラグの絶縁部と緊密に接合され、前記栓刃カバーは、プラグの栓刃の根元部を緊密に被覆し、前記カバー本体の正面端面及び背面端面は、前記カバー本体の対向する２つの面であることを特徴とする請求項１に記載のプラグ用絶縁カバー。
【請求項１２】
前記プラグの栓刃は、プラグの栓刃取付面から突出し、前記栓刃カバーは、前記カバー本体の正面端面に設けられ、前記カバー本体の背面端面とプラグのゴム部分とは、緊密に接合することを特徴とする請求項１１に記載のプラグ用絶縁カバー。
【請求項１３】
栓刃は、前記カバー本体の背面端面から前記栓刃挿入孔を介して入り、前記栓刃カバーの自由端からはみ出て、且つ金属部分が露出し、前記金属部分の長さは、栓刃の長さの３０％以上であることを特徴とする請求項１２に記載のプラグ用絶縁カバー。
【請求項１４】
前記カバー本体の背面端面には、接着性を保護するための取り外し可能なフィルム層で被覆された接着層が設けられていることを特徴とする請求項１１〜１３のいずれか１項に記載のプラグ用絶縁カバー。
【請求項１５】
前記接着層は、フィルム状を呈して前記カバー本体の背面端面を被覆している、又は、相互に間隔を有する複数の環状体から構成されており、前記接着層の厚さは０．０５ｍｍ以上であることを特徴とする請求項１４に記載のプラグ用絶縁カバー。
【請求項１６】
前記カバー本体と前記栓刃カバーとは、一体成形されたものであることを特徴とする請求項１に記載のプラグ用絶縁カバー。
【請求項１７】
前記カバー本体と前記栓刃カバーとは、組合せ式の構造であり、前記カバー本体には、前記栓刃カバーを取り付けるための取付孔が設けられ、前記栓刃カバーの一端の側面には、前記カバー本体と嵌合するための突起が設けられていることを特徴とする請求項１に記載のプラグ用絶縁カバー。
【請求項１８】
前記カバー本体及び前記栓刃カバーは、絶縁性、耐圧性、耐摩耗性、剛性、耐高温性及び靱性を有することを特徴とする請求項１に記載のプラグ用絶縁カバー。
【請求項１９】
前記カバー本体及び前記栓刃カバーは、耐圧抵抗値が２００メガオーム以上であり、耐圧値が５ｋｖ以上であり、耐高温性が３００℃以上であることを特徴とする請求項１８に記載のプラグ用絶縁カバー。
【請求項２０】
前記カバー本体は、ＰＩ（ポリイミド）又はポリウレタンで製造されたシート状構造であり、前記栓刃カバーは、ＰＩ又はポリウレタンで製造された管状構造であることを特徴とする請求項１９に記載のプラグ用絶縁カバー。
【発明の詳細な説明】
【技術分野】
【０００１】
本発明は、プラグに用いられる絶縁装置に関し、特にプラグ用絶縁カバーに関し、コネクタ技術分野に属する。
【背景技術】
【０００２】
家庭用電化製品の多様化に伴い、様々な家電製品の使用は、電源から切り離すことができない。プラグとソケットとが協働することで電気が通るようになり、使い勝手が良く、コストが安く、人気が高いという利点がある。従って、プラグ及びソケットは、生産及び生活において最も多く見られる電気部品の１つである。既存の一般的な国際標準（国標と略称）に沿ったプラグは、プラスチック部品と、２つ又は３つの金属挿入部品とから構成されている。プラスチック部品は、手で保持しやすく、絶縁保護の役割をも果たしている。金属部品は、電力供給のために、プラグのピンとしてプラグの接続に役に立っている。従来のプラグの有効導電部は、保護されておらず、プラグを挿抜する際に、導電性プラグ片には、不適切な操作又は濡れたピンによって火花が発生する。さらに、不適切な操作により、指がピンの上端の露出部分に接触すると、感電事故又はピンに短絡が発生し、使用者及び装置に損傷が与えられる。
【０００３】
引用文献１には、電線を有する電源プラグ本体を備える電源プラグプロテクタが開示されている。前記電源プラグ本体には、プラグ片が設けられ、前記プラグ片の前記電源プラグ本体に近い箇所には、絶縁スリーブが設けられている。当該考案は、前記電源プラグ本体にプラグ片を配置し、前記プラグ片の前記電源プラグ本体に近い箇所に絶縁スリーブが配置されている。この絶縁スリーブの存在は、プラグ片とソケットとの接触に影響を及ぼさない一方で、より重要なことに、ニーズに応じて当該絶縁スリーブの材質は、漏電防止、防水、耐熱、耐摩耗性及び一定の難燃性を有し、繰り返して使用可能である。従って、絶縁スリーブの保護作用により、プラグを挿抜する際に手が誤ってプラグ片に接触することで事故を引き起こすことはなく、人体への損傷が回避され、電気安全が確保される。しかしながら、当該考案における保護スリーブは、明らかな欠陥があり、その絶縁スリーブとプラグ本体との接触が不十分であり、防水性能が悪く、漏電の確率が大きい。
【先行技術文献】
【特許文献】
【０００４】
【特許文献１】中国実用新案第２０１１２０４９５９２８．３号明細書
【発明の概要】
【発明が解決しようとする課題】
【０００５】
上記の問題に鑑み、本発明の目的は、プラグを保護し、従来の各国の通常プラグにおけるピンの有効導電部に保護装置がないことによって発生する感電又は電気短絡の技術問題を解決するために、被覆又は粘着の方式で従来の各国の通常プラグに取り付けるプラグ用絶縁カバーを提供することにある。これにより、指がピンの上端の露出した部分に触れることによる感電事故若しくはピンに発生する短絡問題、又は、不適切な操作や濡れたピンによって火花が発生する問題が効果的に解決される。
【課題を解決するための手段】
【０００６】
本発明の技術的解決手段は、下記の通りである。
【０００７】
シート状のカバー本体と、栓刃カバーと、栓刃挿入孔とを備えるプラグ用絶縁カバーであって、前記栓刃カバーは、前記カバー本体から突出し、前記栓刃挿入孔は、前記栓刃カバーと前記カバー本体とを貫通する貫通孔であり、プラグの栓刃を被覆するために用いられる。上述した構造を有する絶縁カバーは、カバー本体をプラグの絶縁部分に密着させ、絶縁カバーの栓刃を保護し、栓刃の間の漏水による短絡又は漏電を防ぐことができるほか、指が栓刃に接触することによる感電現象を防止すると共に、プラグの正常な挿抜に影響を与えない。
【０００８】
前記栓刃カバーは、前記カバー本体の正面端面から突出し、前記栓刃挿入孔は、前記栓刃カバー内に設けられ、且つ前記カバー本体の背面端面と前記栓刃カバーの自由端とを貫通している。前記正面端面及び前記背面端面は、前記カバー本体の対向する２つの面である。上述した構造を有する栓刃挿入孔は、プラグの栓刃を被覆するためであり、絶縁カバーの着脱を容易に実現することができる。
【０００９】
前記カバー本体の正面端面から突出した前記栓刃カバーの突起高さは、１ｍｍ以上である。前記カバー本体の厚さ又は／及び前記栓刃カバーの厚さは、０．０５ｍｍ以上である。設定された上記構造の数値は、プラグ接続の信頼性及び導電性を効果的に確保する条件の下で、栓刃に対する絶縁保護の役割を果たしている。これにより、絶縁カバーの安全性及びユーザビリティが向上する。
【００１０】
前記カバー本体の正面端面から突出した前記栓刃カバーの突起高さは、前記栓刃の長さの１０％以上である。前記カバー本体の厚さ又は／及び前記栓刃カバーの厚さは、前記栓刃の厚さの５％以上である。上記の構造は、様々な規格及びサイズのプラグに同じ比率で適用され得る。
【００１１】
前記カバー本体は、少なくとも１つの栓刃カバーを含む。前記カバー本体における栓刃カバーの数量は、当該絶縁カバーに対応するプラグの栓刃の数量以下である。プラグによって栓刃カバーへのニーズが異なり、従って、上記の構造は、異なる数量の栓刃カバーを有してよく、主に、漏電が発生しやすい又は漏電の損害が大きい栓刃を保護し、活線及び中性線を効果的に保護するためである。
【００１２】
前記栓刃カバーにおける栓刃挿入孔の形状は、プラグの栓刃に対応している。異なる規格の栓刃に従って当該栓刃に適合する栓刃カバーの形状及びサイズをカスタマイズして、絶縁カバーの緊密性及び安全性を確保する。
【００１３】
プラグの栓刃は、円形栓刃、扁平形栓刃及び角柱形栓刃を含む。例えば、単相２線式扁平形、単相２線式接地扁平形、ＢＳタイプ（イギリス規格）プラグの栓刃、或いは、Ａタイプ（アメリカ規格）プラグの栓刃、ＢＳタイププラグの栓刃、或いは、Ａタイプのププラグラグの栓刃、Ｃタイプ（欧州規格）プラグの栓刃、南アフリカの標準プラグ、オーストラリアの標準プラグが挙げられる。上記のように、いくつかの一般的な標準プラグが挙げられているが、上記タイプのプラグの栓刃の仕様に限定されない。
【００１４】
前記カバー本体の両面は、それぞれ正面側面及び背面側面である。前記栓刃カバーは、前記カバー本体の正面側面に設けられ、前記カバー本体の背面側面の縁部には、前記カバー本体の背面側面から突出した保護縁部が設けられている。上記の保護縁部の構造により、絶縁カバーは、プラグの絶縁部をより緊密に被覆し、密封性が効果的に向上し、防水性及び感電防止性能が確保される。
【００１５】
前記カバー本体の背面側面に設けられた保護縁部は、リング状、歯状又は爪状であり、前記プラグの絶縁部を緊密に被覆するために用いられる。上記の構造は、プラグの絶縁部の違いによって固定されてよく、これにより、絶縁カバーの互換性が向上する。
【００１６】
前記カバーの背面側面から突出した前記保護縁部の突起高さは、１ｍｍ以上である。前記保護縁部の厚さは、０．０５ｍｍ以上である。前記保護縁部の内側壁には、突出リブが設けられている。当該構造の突起部は、プラグの絶縁側へ捲れることができ、これにより、水が絶縁カバー及びプラグのゴム部分から入ることによってもたらされた安全性及び防水性問題をより効果的に防止することができる。
【００１７】
前記カバー本体の背面端面は、プラグの絶縁部と緊密に接合され、前記栓刃カバーは、プラグの栓刃の根元部を緊密に被覆する。前記カバー本体の正面端面及び背面端面は、前記カバー本体の対向する２つの面である。上記の構造により、カバー本体が平坦化され、これにより、カバー本体の背面端面とプラグの絶縁部とは、より緊密に接合され、絶縁カバーの防水性が効果的に確保される。
【００１８】
プラグの栓刃は、プラグの栓刃取付面から突出している。栓刃カバーは、前記カバー本体の正面端面に設けられ、前記カバー本体の背面端面とプラグのゴム部分とは、緊密に接合される。上記の構造は、背面端面を栓刃の取付面に接合するように設定されている。当該面は、平坦であるため、背面端面と接合された後、より良好な接合効果を有し、防水性を効果的に向上させる。
【００１９】
栓刃は、前記カバー本体の背面端面から栓刃挿入孔を介して入り、栓刃カバーの自由端からはみ出て、且つ金属部分が露出する。当該金属部分の長さは、栓刃の長さの３０％以上である。上記の構造において、プラグの露出する金属部分の露出位置は、ちょうどプラグ及びソケット内の導電の位置であり、これにより、防水性が向上する一方、プラグの導電性に影響を与えない。
【００２０】
前記カバー本体の背面端面には、接着性を保護するための取り外し可能なフィルム層で被覆された接着層が設けられている。上記の構造における接着層により、カバー本体の接合度及び防水性が向上する。
【００２１】
前記接着層は、フィルム状を呈してカバー本体の背面端面を被覆している、又は、相互に間隔を有する複数の環状体から構成されている。前記接着層の厚さは０．０５ｍｍ以上である。当該接着層及びその配置は、カバー本体にしわが発生することによってもたらされた密封性及び防水性の低下を防止することができる。
【００２２】
前記カバー本体と前記栓刃カバーとは、一体成形されたものである。当該一体成形の構成は、絶縁カバーの防水性を効果的に向上させ、生産の難度及びコストを低減し、生産時間を短縮することができる。
【００２３】
前記カバー本体と前記栓刃カバーとは、組合せ式の構造である。前記カバー本体には、栓刃カバーを取り付けるための取付孔が設けられ、栓刃カバーの一端の側面には、カバー本体と嵌合するための突起が設けられている。当該組合せ式の絶縁性本体は、装置の自由度を効果的に改善し、プラグの実際の状況に基づいて、相応しく、適合するカバー本体及び栓刃カバーを選択することができ、これにより、ユーザのユーザビリティが向上する。
【００２４】
前記カバー本体及び前記栓刃カバーは、絶縁性、耐圧性、耐摩耗性、剛性、耐高温性及び靱性を有する。
【００２５】
前記カバー本体及び前記栓刃カバーは、耐圧抵抗値が２００メガオーム以上であり、耐圧値が５ｋｖ以上であり、耐高温性が３００℃以上である。
【００２６】
前記カバー本体は、ＰＩ（ポリイミド）又はポリウレタンで製造されたシート状構造である。前記栓刃カバーは、ＰＩ又はポリウレタンで製造された管状構造である。
【発明の効果】
【００２７】
上記技術的解決手段による本発明の有益な効果は、以下の通りである。
１、従来の各国の通常プラグにおけるピンの有効導電部に保護装置がないことによる感電又は電気短絡の技術問題が解決される。
【００２８】
２、指がピンの上端の露出した部分に触れることによる感電事故若しくはピンに発生する短絡問題、又は、不適切な操作や濡れたピンによって火花が発生する問題が効果的に解決される。
【００２９】
３、カバー本体をプラグの絶縁部分に密着させて、絶縁カバーの栓刃を保護し、栓刃の間の漏水による短絡又は漏電を防ぐことができるほか、指が栓刃に接触することによる感電現象を防止する一方、プラグの正常な挿抜に影響を与えない。
【００３０】
４、国標プラグの挿抜の過程において、人体が栓刃に触ることによる感電現象を効果的に防止すると共に、通常プラグのピンが濡れることで、挿抜する際に発生する火花による危害を減少させることができる。また、絶縁カバーを取り付けることにより、構造全体が合理的になり、既存の国標ソケットの使用の互換性に影響を与えない。当該絶縁カバーは、良好な靱性を有し、裂けにくく、ピンの寿命を延ばすだけでなく、安全性をさらに改善することができる。
【図面の簡単な説明】
【００３１】
【図１】保護縁部を有さない２ピンプラグ用絶縁カバーの正面図である。
【図２】保護縁部を有さない２ピンプラグ用絶縁カバーの平面図である。
【図３】保護縁部を有さない２ピンプラグ用絶縁カバーの前面図である。
【図４】保護縁部を有さない２ピンプラグ用絶縁カバーの使用状態図である。
【図５】保護縁部を有する２ピンプラグ用絶縁カバーの正面図である。
【図６】保護縁部を有する２ピンプラグ用絶縁カバーの平面図である。
【図７】保護縁部を有する２ピンプラグ用絶縁カバーの前面図である。
【図８】保護縁部を有する２ピンプラグ用絶縁カバーの使用状態図である。
【図９】保護縁部を有さない３ピンプラグ用絶縁カバーの正面図である。
【図１０】保護縁部を有さない３ピンプラグ用絶縁カバーの平面図である。
【図１１】保護縁部を有さない３ピンプラグ用絶縁カバーの前面図である。
【図１２】保護縁部を有さない３ピンプラグ用絶縁カバーの使用状態図である。
【図１３】保護縁部を有する３ピンプラグ用絶縁カバーの正面図である。
【図１４】保護縁部を有する３ピンプラグ用絶縁カバーの平面図である。
【図１５】保護縁部を有する３ピンプラグ用絶縁カバーの前面図である。
【図１６】保護縁部を有する３ピンプラグ用絶縁カバーの使用状態図である。
【図１７】保護縁部を有さない３ピンプラグ用絶縁カバーのＢＳタイププラグの使用状態図である。
【図１８】保護縁部を有さない３ピンプラグ用絶縁カバーのオーストラリアの標準プラグの使用状態図である。
【図１９】保護縁部を有さない３ピンプラグ用絶縁カバーのＡタイププラグの使用状態図である。
【図２０】保護縁部を有さない３ピンプラグ用絶縁カバーの南アフリカの標準プラグの使用状態図である。
【発明を実施するための形態】
【００３２】
以下、図面と併せて、本発明について詳細に説明する。
【００３３】
本発明の目的、技術的解決手段及び利点をより明白にするために、以下、図面及び実施例と併せて、本発明についてさらに詳細に説明する。ここに記載する具体的な実施形態は、本発明についての説明だけであって、本発明を限定するものではないことを理解されたい。
【００３４】
＜実施形態１＞
図１〜４に示すように、本発明に係る、２ピンプラグ４に用いられるプラグ用絶縁カバーは、両面が正面端面及び背面端面であり、シート状のであるカバー本体１と、カバー本体１に接続され、カバー本体１の正面端面に垂直な栓刃カバー２とを備えている。栓刃カバー２の内部には、栓刃を取り付けるための栓刃挿入孔３が設けられている。栓刃挿入孔３は、栓刃カバー２とカバー本体１との接続箇所を貫通して栓刃カバー２の自由端及びカバー本体１の背面端面とそれぞれ接続している。栓刃カバー２は、活線栓刃カバー２１及び中性線栓刃カバー２２に分けられ、活線栓刃カバー２１と中性線栓刃カバー２２との内部に設けられた栓刃挿入孔３は、それぞれ活線栓刃挿入孔３１及び中性線栓刃挿入孔３２である。カバー本体１の正面端面は、平坦である。栓刃カバー２は、カバー本体１の背面端面から突出しており、栓刃カバー２の突起高さは、２ｍｍ以上、又は、当該絶縁カバーを用いた栓刃の高さの１０％以上である。
【００３５】
カバー本体１及び栓刃カバー２は、３００℃以上の高温で一体成形されている。その耐高温の程度は、３００℃以上であり、カバー本体１の厚さは、栓刃カバー２の厚さ以上である。栓刃カバー２及びカバー本体１の厚さは、０．０５ｍｍ以上である。或いは、栓刃が国標の扁平形栓刃である場合は、栓刃カバー２及びカバー本体１の厚さは、栓刃の厚さの１０％以上であり、栓刃が国標でない扁平形栓刃である場合は、栓刃カバー２及び／又はカバー本体１の厚さは、栓刃の厚さの５％以上であり、且つ０．０５ｍｍより大きい。
【００３６】
カバー本体１及び栓刃カバー２は、絶縁性、耐圧性、耐摩耗性、高剛性、耐高温性を有する材料で製作されている。その抵抗値は、２００メガオーム以上であり、耐圧値は、５ｋｖである。絶縁カバーは、ＰＩ材料又はポリウレタン材料で製作されてよい。
【００３７】
絶縁カバーを使用する際に、それを国標プラグの栓刃の根元部に取り付ける。栓刃はプラグの栓刃取付面に設けられ且つ当該取付面から突出している。カバー本体１の背面端面は、プラグの栓刃取付面に緊密に接合される。栓刃カバー２が栓刃の根元部に緊密にネスティングされるように、プラグの栓刃は、栓刃カバー２の内部の挿入孔を貫通する。栓刃の自由端は、栓刃カバー２からはみ出て且つ栓刃の金属部分が露出し、その露出した金属部分は、少なくとも栓刃の長さの３０％である。対応する絶縁カバーが２ピンプラグ４に取り付けられる場合に、活線栓刃カバー２１は、活線栓刃４１にネスティングされ、中性線栓刃カバー２２は、中性線栓刃４２にネスティングされる。或いは、１本の栓刃には、栓刃カバー２がネスティングされるだけで、もう１本の栓刃には、栓刃カバーがネスティングされなくても同様に感電防止効果を果たす。
【００３８】
カバー本体と栓刃取付面との密着程度を高めるために、カバー本体の背面端面には、厚さが０．０５〜０．５ｍｍの接着層が設けられ、接着層が、フィルム層で被覆されていてよい。当該フィルム層は、接着層の酸化又は接着性の低下を防止することができる。しかも、フィルム層と接着層とが接着されることなく、当該フィルム層は、取外し可能である。絶縁カバーを使用する際に、フィルム層を取り外した後、栓刃カバー２を栓刃の根元部にネスティングし、その後、カバー本体の背面端面を、接着層を介して栓刃取付面に接着させて、密封状態を形成させる。接着層は、カバー本体の背面端面に均一に塗布されていてもよく、背面端面に環状となるように塗布されて、一定間隔で複数層の接着リングを形成していてもよい。
【００３９】
＜実施形態２＞
図５〜８に示すように、本発明に係る、２ピンプラグ４に用いられる保護縁部を有する絶縁カバーは、シート状のカバー本体１と、カバー本体１の正面端面から突出している栓刃カバー２と、栓刃挿入孔３とを備えている。栓刃はカバー本体１及び栓刃カバーを順次に貫通して、栓刃カバー２の自由端からはみ出て、栓刃の金属部分を露出させてよい。カバー本体は、少なくとも一つの栓刃カバー２（通常は３つ）を備えている。栓刃挿入孔３は、栓刃カバー２の内部に位置し、栓刃カバー２の自由端とカバー本体１の背面端面とを貫通している。カバー本体１の背面端面と正面端面とは、対向となっている。栓刃カバー２の、カバー本体１から突出している正面端面の高さは３ｍｍ以上であり、通常は４〜５ｍｍである。栓刃挿入孔３は、円形孔、四角孔又は扁平孔であってよい。栓刃挿入孔３の具体的な形状及び位置は、それぞれ国標プラグの栓刃の位置に対応している。カバー本体１の縁部には、背面端面から突出した保護縁部が設けられ、当該保護縁部は、リング状又は歯状であり、プラグの側面を緊密に被覆して防水、漏電防止の効果を向上させるために用いられる。保護縁部の突起部は、カバー本体１の背面側面の高さより高く、１〜５ｍｍであり、保護縁部の厚さは通常０．０５ｍｍ以上である。
【００４０】
カバー本体１及び栓刃カバー２は、実施形態１に係る、一体成形技術による一体構造であってもよく、カバー本体１及び栓刃カバー２は、組合せ式の構造であってもよい。即ち、栓刃カバー２は、カバー本体１に取外し可能に取り付けられている。カバー本体１の、プラグの栓刃に対応する位置には、栓刃カバー２を取り付けるための取付孔が設けられている。栓刃カバー２の接続端の側面には、突起部が設けられている。栓刃カバー２は、カバー本体１の背面側面から取付孔内に挿入され、突起部をカバー本体１に接合させ、これにより、ニーズによって適切な栓刃カバー２を選択し、世界中各国の様々な標準のプラグに適合させることができる。
【００４１】
また、絶縁カバー１の防水性及び漏電防止を向上させるために、カバー本体１の背面側面として、同様に実施形態１における接着層及びフィルム層の構造を採用してよい。絶縁カバーは実施形態１における材料で製造されている。
【００４２】
＜実施形態３＞
図９〜１２に示すように、本発明に係る、３ピンプラグ用絶縁カバーは、正面端面及び背面端面を有するシート状のカバー本体１と、カバー本体１の正面端面から突出し、その突起高さが栓刃の長さの１０％〜６０％（通常４０±５％）である栓刃カバー２と、栓刃カバー２の内部に設けられ、栓刃カバー２の自由端とカバー本体１の背面端面とを貫通する栓刃挿入孔３とを備えている。栓刃カバー２の位置は、３ピンプラグの栓刃の位置に対応している。栓刃カバー２は、活線栓刃カバー２３、中性線栓刃カバー２５及びアース線栓刃カバー２４を含む。栓刃挿入孔３は、それぞれプラグの活線栓刃５１、中性線栓刃５３及びアース線栓刃５２に対応するように取り付けられた活線栓刃挿入孔３３、中性線栓刃挿入孔３４及びアース線栓刃挿入孔３５を含む。栓刃挿入孔３は、様々な国家標準のプラグに対応するために、様々な形状を設計してよい。例えば、扁平形栓刃のプラグ、円形栓刃のプラグ、角柱形栓刃のプラグ、イギリス規格プラグ、アメリカ規格プラグ等がある。
【００４３】
プラグの各栓刃を区別するために、絶縁カバー１の栓刃カバー２は、様々な長さを有してよい。また、絶縁カバーの体積を減少させるために、アース線の栓刃カバー２を配置せず、活線及び中性線の栓刃カバー２のみ配置してもよい。絶縁カバー１の材料は、実施形態１における絶縁性、耐圧性、耐摩耗性、高剛性、高靱性を有する材料（例えば、これら特性を有するプラスチック材料）であってよい。
【００４４】
図１３〜２０に示すように、３ピンプラグ５に用いられる絶縁カバーは、実施形態２における保護縁部構造であってよい。保護縁部は、リング状または歯状を呈してよく、絶縁カバーの防水性と漏電防止性を向上させるために、歯形または爪状で逆になってプラグの側面に嵌合している。３ピンプラグ５に用いられる絶縁カバーとして、実施形態１における接着構造及びフィルム層を使用してよく、これにより、絶縁性を効果的に高めることができる。
【００４５】
絶縁カバーは、２ピンプラグ４及び３ピンプラグ５に限定されず、４ピンまたは更に多くのピンを有するプラグにも適用される。また、栓刃挿入孔３の形状及び位置、並びに栓刃カバー２の位置は、プラグの栓刃の位置によって異なり、栓刃挿入孔３の形状及び位置は、プラグの栓刃に対応している。
【００４６】
絶縁カバーを使用する際に、プラグの栓刃が、対応する絶縁カバーの栓刃挿入孔３を貫通するようにさせ、栓刃挿入孔３の他端から少なくとも４０％の金属部分を露出させる。カバー本体の背面端面は、プラグの栓刃取付面に密着し、カバー本体の保護縁部は、栓刃取付面に隣接する側面に嵌め、保護縁部の弾性によって側面に緊密に接合する。
【００４７】
上記の説明は、本発明の好ましい実施形態であり、本発明を限定するものではない。本発明の精神及び原則に基づいたいかなる改変、同等置換、改良などは、本発明による保護範囲内に含まれるべきである。
【符号の説明】
【００４８】
１  カバー本体
２  栓刃カバー
２１  活線栓刃カバー
２２  中性線栓刃カバー
２３  活線栓刃カバー
２４  アース線栓刃カバー
２５  中性線栓刃カバー
３  栓刃挿入孔
３１  活線栓刃挿入孔
３２  中性線栓刃挿入孔
３３  活線栓刃挿入孔
３４  中性線栓刃挿入孔
３５  アース線栓刃挿入孔
４  ２ピンプラグ
４１  活線栓刃
４２  中性線栓刃
５  ３ピンプラグ
５１  活線栓刃
５２  アース線栓刃
５３  中性線栓刃
【図１】
2019503578.tif 000003
【図２】
2019503578.tif 000004
【図３】
2019503578.tif 000005
【図４】
2019503578.tif 000006
【図５】
2019503578.tif 000007
【図６】
2019503578.tif 000008
【図７】
2019503578.tif 000009
【図８】
2019503578.tif 000010
【図９】
2019503578.tif 000011
【図１０】
2019503578.tif 000012
【図１１】
2019503578.tif 000013
【図１２】
2019503578.tif 000014
【図１３】
2019503578.tif 000015
【図１４】
2019503578.tif 000016
【図１５】
2019503578.tif 000017
【図１６】
2019503578.tif 000018
【図１７】
2019503578.tif 000019
【図１８】
2019503578.tif 000020
【図１９】
2019503578.tif 000021
【図２０】
2019503578.tif 000022
【国際調査報告】
2019503578.tif 000023
2019503578.tif 000024
2019503578.tif 000025
2019503578.tif 000026